(57)【要約】      （修正有）【課題】直流出力電源回路の操作によって余分に変圧器の設置を避けることができ、さらに回路の設置のコストを低く抑えることができ、回路の設置の体積と重量を減らすことができる。【解決手段】二個の交流電源接続端ＡＣ１、ＡＣ２、一個の発光モジュール１および一個の直流出力電源回路２を有する。発光モジュール１は交流電源接続端ＡＣ１に電気的に接続され、発光モジュール１には少なくとも一個の発光ダイオードユニット１１、１２が含まれ、発光ダイオードユニット１１、１２は少なくとも一個の発光ダイオードを直列に接続してなるものである。直流出力電源回路２も交流電源接続端ＡＣ２と発光モジュール１に電気的に接続され、直流出力電源回路２には一個の直流電源出力端２０が含まれるように構成されている。【選択図】図２
2011151010.tif 000002
【特許請求の範囲】
【請求項１】
二個の交流電源接続端（ＡＣ１、ＡＣ２）、一個の発光モジュール（１）および一個の直流出力電源回路（２）を有する交流発光ダイオード灯具において、発光モジュール（１）には二個の接続端（Ｖ１、Ｖ２）が含まれ、発光モジュール（１）の内の一個の接続端（Ｖ１）は交流電源接続端の内の一個の交流電源接続端（ＡＣ１）に接続し、そして発光モジュール（１）には少なくとも一個の発光ダイオードユニット（１１、１２）が含まれ、発光ダイオードユニット（１１、１２）は少なくとも一個の発光ダイオードを直列に接続してなるものであり、一個の直流出力電源回路（２）には二個の接続端（Ｖ３、Ｖ４）が含まれ、直流出力電源回路（２）の内の一個の接続端（Ｖ４）はもう一個の交流電源接続端（ＡＣ２）に接続し、そして直流出力電源回路（２）のもう一個の接続端（Ｖ３）は発光モジュール（１）のもう一個の接続端（Ｖ２）に接続し、直流出力電源回路（２）には一個の直流電源出力端（２０）が含まれるように構成されることを特徴とする交流発光ダイオード灯具。
【請求項２】
直流出力電源回路（２）には一個の整流ユニット（２１）と一個の定電圧ろ波ユニット（２２）が含まれ、整流ユニット（２１）と定電圧ろ波ユニット（２２）は発光モジュール（１）と互いに直列に接続するように構成されることを特徴とする請求項１に記載の交流発光ダイオード灯具。
【請求項３】
整流ユニット（２１）は一個の半波整流回路からなり、整流ユニット（２１）には一個のダイオードが含まれ、そして発光モジュール（１）の発光ダイオードユニット（１１、１２）の数は二個であり、整流ユニット（２１）のダイオードの接続方向は発光モジュール（１）の内の一個の発光ダイオードユニット（１１）の内の発光ダイオードの接続方向と一致するように形成されることを特徴とする請求項２に記載の交流発光ダイオード灯具。
【請求項４】
定電圧ろ波ユニット（２２）には一個の定電圧素子（２２１）と一個のろ波キャパシタンス（２２２）が含まれ、定電圧素子（２２１）とろ波キャパシタンス（２２２）は互いに並列になるように接続され、そして並列される定電圧素子（２２１）とろ波キャパシタンス（２２２）は再び整流ユニット（２１）と直列に接続するように構成されることを特徴とする請求項２に記載の交流発光ダイオード灯具。
【請求項５】
定電圧ろ波ユニット（３２）にはさらに一個の定電圧素子（３２１）と一個のろ波キャパシタンス（３２２）が含まれ、定電圧素子（３２１）とろ波キャパシタンス（３２２）は互いに並列になるように接続され、そして並列される定電圧素子（３２１）とろ波キャパシタンス（３２２）は再び整流ユニット（３１）と直列に接続するように構成されることを特徴とする請求項３に記載の交流発光ダイオード灯具。
【請求項６】
定電圧素子（２２１）とろ波キャパシタンス（２２２）が並列する接続の場所は直流電源出力端（２０）であることを特徴とする請求項４に記載の交流発光ダイオード灯具。
【請求項７】
定電圧素子（３２１）とろ波キャパシタンス（３２２）が並列する接続の場所は直流電源出力端（２０）であることを特徴とする請求項５に記載の交流発光ダイオード灯具。
【請求項８】
直流出力電源回路（２）には他に一個のバックワードダイオード（２３）が設けられ、バックワードダイオード（２３）は直列される整流ユニット（２１）および定電圧ろ波ユニット（２２）と並列に接続するように構成され、バックワードダイオード（２３）の接続方向と整流ユニット（２１）のダイオードとは逆方向になるように構成されることを特徴とする請求項２または４に記載の交流発光ダイオード灯具。
【請求項９】
直流出力電源回路（２）には他に一個のバックワードダイオード（２３）が設けられ、バックワードダイオード（２３）は直列される整流ユニット（３１）および定電圧ろ波ユニット（３２）と並列に接続するように構成され、バックワードダイオード（２３）の接続方向と整流ユニット（２１）のダイオードとは逆方向になるように構成されることを特徴とする請求項３または５に記載の交流発光ダイオード灯具。
【請求項１０】
直流出力電源回路（２）には他に一個のバックワードダイオード（２３）が設けられ、バックワードダイオード（２３）は直列される整流ユニット（３１）および定電圧ろ波ユニット（３２）と並列に接続するように構成され、バックワードダイオード（２３）の接続方向と整流ユニット（２１）のダイオードとは逆方向になるように構成されることを特徴とする請求項７に記載の交流発光ダイオード灯具。
【請求項１１】
整流ユニット（１１’）は一個の全波整流回路からなり、全波整流回路、定電圧ろ波ユニット（２２）および発光モジュール（１’）は互いに直列に接続するように構成されることを特徴とする請求項２に記載の交流発光ダイオード灯具。
【請求項１２】
定電圧ろ波ユニット（２２）には一個の定電圧素子（２２１）と一個のろ波キャパシタンス（２２２）が含まれ、定電圧素子（２２１）とろ波キャパシタンス（２２２）は互いに並列になるように接続され、そして並列される定電圧素子（２２１）とろ波キャパシタンス（２２２）は再び整流ユニット（１１’）と直列に接続するように構成されることを特徴とする請求項１１に記載の交流発光ダイオード灯具。
【請求項１３】
定電圧ろ波ユニット（２２）のろ波キャパシタンス（２２２）は一個の小容量のキャパシタンスからなることを特徴とする請求項１２に記載の交流発光ダイオード灯具。
【請求項１４】
直流出力電源回路（４）には一個の整流ユニット（４１）と一個の並列ろ波キャパシタンス（４２）が含まれ、整流ユニット（４１）には一個のフォワード整流ダイオードユニット（４１１）が含まれ、整流ユニット（４１）は発光モジュール（１）に直列に接続し、そしてフォワード整流ダイオードユニット（４１１）には複数個の直列のダイオードが含まれ、並列ろ波キャパシタンス（４２）はフォワード整流ダイオードユニット（４１１）の内の少なくとも一個のダイオードに並列に接続するように構成されることを特徴とする請求項１に記載の交流発光ダイオード灯具。
【請求項１５】
フォワード整流ダイオードユニット（４１１）には二個の接続端が含まれ、フォワード整流ダイオードユニット（４１１）の二個の接続端は直流出力電源回路（４）の二個の接続端に接続するように形成されることを特徴とする請求項１４に記載の交流発光ダイオード灯具。
【請求項１６】
整流ユニット（４１）には他に一個のバックワード整流ダイオードユニット（４１２）が含まれ、バックワード整流ダイオードユニット（４１２）とフォワード整流ダイオードユニット（４１１）は逆方向に並列するように接続されることを特徴とする請求項１５に記載の交流発光ダイオード灯具。
【請求項１７】
直流電源出力端（２０）は一個の放熱装置（８）と接続するのに用いられることを特徴とする請求項１に記載の交流発光ダイオード灯具。
【請求項１８】
放熱装置（８）は一個の放熱ファンまたは一個の冷却チップからなることを特徴とする請求項１７に記載の交流発光ダイオード灯具。
【請求項１９】
二個の交流電源接続端（ＡＣ１、ＡＣ２）、一個の発光モジュール（１）および一個の直流出力電源回路（５）を有する交流発光ダイオード灯具において、一個の発光モジュール（１）には二個の接続端（Ｖ１、Ｖ２）が含まれ、発光モジュール（１）の二個の接続端（Ｖ１、Ｖ２）はそれぞれ二個の交流電源接続端（ＡＣ１、ＡＣ２）に接続し、そして発光モジュール（１）には少なくとも一個の発光ダイオードユニット（１１、１２）が含まれ、発光ダイオードユニット（１１、１２）は複数個の発光ダイオードを直列に接続してなるものであり、一個の直流出力電源回路（５）は直列される複数個の発光ダイオードの少なくとも一個の発光ダイオードに並列に接続され、そして直流出力電源回路（５）には一個の直流電源出力端（５０）が含まれるように構成されることを特徴とする交流発光ダイオード灯具。
【請求項２０】
直流出力電源回路（５）には一個の並列ろ波キャパシタンス（５１）が含まれ、並列ろ波キャパシタンス（５１）は直列される複数個の発光ダイオードの少なくとも一個の発光ダイオードに並列に接続するように構成されることを特徴とする請求項１９に記載の交流発光ダイオード灯具。
【請求項２１】
並列ろ波キャパシタンス（５１）の両端はすなわち直流電源出力端（５０）であることを特徴とする請求項２０に記載の交流発光ダイオード灯具。
【請求項２２】
直流電源出力端（５０）は一個の放熱装置（８）と接続するのに用いられることを特徴とする請求項１９に記載の交流発光ダイオード灯具。
【請求項２３】
放熱装置（８）は一個の放熱ファンまたは一個の冷却チップからなることを特徴とする請求項２２に記載の交流発光ダイオード灯具。
【発明の詳細な説明】
【技術分野】
【０００１】
本発明は、交流発光ダイオード灯具に関するもので、特に直流出力電源回路を有する交流発光ダイオード灯具に係るものである。
【背景技術】
【０００２】
従来の放熱装置を有する発光ダイオード灯具の構造としては、例えば中国公告番号第ＣＮ１０１４８２２５５号においては、放熱装置を利用して作動の過程において放熱を行うようにしたものがある。
【０００３】
また、従来の交流発光ダイオード灯具の構造としては、図６を参照すると、その構造には二個の交流電源接続端Ｐ１、Ｐ２および一個の発光モジュール９が含まれる。二個の交流電源接続端Ｐ１とＰ２はそれぞれ発光モジュール９に接続することにより、交流電源を直接発光モジュール９に供給することができる。発光モジュール９には一個の第一発光ダイオードユニット９１と一個の第二発光ダイオードユニット９２が含まれ、それぞれの発光ダイオードユニット９１、９２は全て少なくとも一個の発光ダイオードからなるように構成され、そして第一発光ダイオードユニット９１と第二発光ダイオードユニット９２は逆方向に並列に接続するように形成される。これにより、発光モジュール９は直接一個の交流電源と接続することができ、そして交流電源の正の半周期電源と負の半周期電源がそれぞれ第一発光ダイオードユニット９１と第二発光ダイオードユニット９２に流通することにより、二個の発光ダイオードユニット９１と９２は交互に作動して光を投射し、照明の目的に達することができるようにとしたものがある。
【０００４】
再び図６を参照すると、発光ダイオードは通電によって高熱が生じることにより、発光ダイオードが操作時に生じる熱を下げるべく、一般として交流発光ダイオード灯具には少なくとも一個の放熱装置８を設置し、発光モジュール９に対して放熱を行わなければならない。その内に、放熱装置８は通常として一個の放熱ファンまたは一個の冷却チップなどの直流装置からなり、そして放熱装置８に必要とする電源を供給するため、従来の交流発光ダイオードには余分な電源回路を増設しなければならず、そして電源回路によって直流電源を生じさせて放熱装置８の使用に供給しなければならない。
【０００５】
従って、従来の交流発光ダイオード灯具には他に一個の電源変換器７が設けられ、電源変換器７は交流電源と放熱装置８の間に設置され、電源変換器７は交流電源を直流電源に変換するのに用いられ、直流電源を放熱装置８の電源として供給する。さらに、詳しく言えば、電源変換器７には一個の変圧器７１と一個の整流ろ波回路７２が含まれ、電源変換器７の変圧器７１と整流ろ波回路７２によって交流電源の降圧、整流と電圧安定の操作を行うことにより、放熱装置８に安定した直流電源を供給する。
【先行技術文献】
【特許文献】
【０００６】
【特許文献１】中国公告番号第ＣＮ１０１４８２２５５号
【発明の概要】
【発明が解決しようとする課題】
【０００７】
上述した図６に示される従来の交流発光ダイオード灯具においては、依然として次のような問題点を有している。放熱装置８の定格有効電圧値は通常として交流電源の有効電圧値より小さいため、変圧器７１の操作によって交流電源をさらに放熱装置８の定格有効電圧値に符合するように降圧を行わなければならず、そのため変圧器７１の設置によって従来の交流発光ダイオード灯具には全体の回路設置のコスト、体積と重量が増えてしまうという問題点があった。このように、上記のような従来の交流発光ダイオード灯具をさらに改良しなければならない。
【０００８】
本発明はこのような問題点に鑑みて発明されたものであって、その主な目的とするところは、直流出力電源回路の設置によって余分な変圧器の設置を省くことができ、回路設置のコストを低く抑えるとともに、回路設置の体積と重量を減らすことができる交流発光ダイオード灯具を提供することである。
【課題を解決するための手段】
【０００９】
上記目的を達成するために、本発明による交流発光ダイオード灯具は、二個の交流電源接続端、一個の発光モジュールおよび一個の直流出力電源回路を有する。一個の発光モジュールには二個の接続端が含まれ、発光モジュールの内の一個の接続端は交流電源接続端の内の一個に接続する。そして発光モジュールには少なくとも一個の発光ダイオードユニットが含まれ、発光ダイオードユニットは少なくとも一個の発光ダイオードを直列に接続してなるものである。一個の直流出力電源回路には二個の接続端が含まれ、直流出力電源回路の内の一個の接続端はもう一個の交流電源接続端に接続し、そして直流出力電源回路のもう一個の接続端は発光モジュールのもう一個の接続端に接続し、直流出力電源回路には一個の直流電源出力端が含まれるように構成される。
【００１０】
また、直流出力電源回路には一個の整流ユニットと一個の定電圧ろ波ユニットが含まれ、整流ユニットと定電圧ろ波ユニットは発光モジュールと互いに直列に接続するように構成することもできる。また、整流ユニットは一個の半波整流回路からなり、整流ユニットには一個のダイオードが含まれ、そして発光モジュールの発光ダイオードユニットの数は二個で、整流ユニットのダイオードの接続方向は発光モジュールのその内の一個の発光ダイオードユニットの内の発光ダイオードの接続方向と一致するように構成することもできる。また、定電圧ろ波ユニットには一個の定電圧素子と一個のろ波キャパシタンスが含まれ、定電圧素子とろ波キャパシタンスは互いに並列になるように構成し、そして並列される定電圧素子とろ波キャパシタンスは再び整流ユニットと直列に接続するように構成することもできる。また、定電圧素子とろ波キャパシタンスが並列する接続場所は直流電源出力端であることもできる。また、直流出力電源回路には他に一個のバックワードダイオードが設けられ、バックワードダイオードは直列される整流ユニットおよび定電圧ろ波ユニットと並列に接続するように構成され、バックワードダイオードの接続方向と整流ユニットのダイオードとは逆方向になるように構成することもできる。また、整流ユニットは一個の全波整流回路からなり、全波整流回路、定電圧ろ波ユニットと発光モジュールは互いに直列に接続するように構成することもできる。また、定電圧ろ波ユニットのろ波キャパシタンスは一個の小容量のキャパシタンスからなることもできる。また、直流出力電源回路には一個の整流ユニットと一個の並列ろ波キャパシタンスが含まれ、整流ユニットには一個のフォワード整流ダイオードユニットが含まれ、整流ユニットは発光モジュールに直列に接続し、そしてフォワード整流ダイオードユニットには複数個の直列のダイオードが含まれ、並列ろ波キャパシタンスはフォワード整流ダイオードユニットの内の少なくとも一個のダイオードに並列に接続するように構成することもできる。また、フォワード整流ダイオードユニットには二個の接続端が含まれ、フォワード整流ダイオードユニットの二個の接続端は直流出力電源回路の二個の接続端に接続するように構成することもできる。さらに、整流ユニットには他に一個のバックワード整流ダイオードユニットが含まれ、バックワード整流ダイオードユニットとフォワード整流ダイオードユニットは逆方向に並列するように構成することもできる。また、直流電源出力端は一個の放熱装置と接続するのに用いられることもできる。また、放熱装置は一個の放熱ファンまたは一個の冷却チップからなることもできる。
【００１１】
本発明による交流発光ダイオード灯具はまた、二個の交流電源接続端、一個の発光モジュールおよび一個の直流出力電源回路を有する。一個の発光モジュールには二個の接続端が含まれ、発光モジュールの二個の接続端はそれぞれ二個の交流電源接続端に接続し、そして発光モジュールには少なくとも一個の発光ダイオードユニットが含まれ、発光ダイオードユニットは複数個の発光ダイオードを直列に接続してなるものである。一個の直流出力電源回路は直列される複数個の発光ダイオードの少なくとも一個の発光ダイオードに並列に接続し、そして直流出力電源回路には一個の直流電源出力端が含まれるように構成することもできる。
【００１２】
さらに、直流出力電源回路には一個の並列ろ波キャパシタンスが含まれ、並列ろ波キャパシタンスは直列される複数個の発光ダイオードの少なくとも一個の発光ダイオードに並列に接続するように構成することもできる。また、並列ろ波キャパシタンスの両端はすなわち直流電源出力端であることもできる。また、直流電源出力端は一個の放熱装置と接続するのに用いられることもできる。また、放熱装置は一個の放熱ファンまたは一個の冷却チップからなることもできる。
【発明の効果】
【００１３】
本発明の交流発光ダイオード灯具によれば、直流出力電源回路の設置によって余分な変圧器の設置を省くことができるため、回路設置のコストを低く抑えるとともに、回路設置の体積と重量を減らすことができるという利点がある。
【図面の簡単な説明】
【００１４】
【図１Ａ】図１Ａは、本発明の実施例１の交流発光ダイオード灯具の回路の説明図である。
【図１Ｂ】図１Ｂは、本発明の実施例１のもう一種の交流発光ダイオード灯具の回路接続の説明図である。
【図２】図２は、本発明の実施例２の交流発光ダイオード灯具の回路の説明図である。
【図３】図３は、本発明の実施例３の交流発光ダイオード灯具の回路の説明図である。
【図４】図４は、本発明の実施例４の交流発光ダイオード灯具の回路の説明図である。
【図５】図５は、本発明の実施例５の交流発光ダイオード灯具の回路の説明図である。
【図６】図６は、従来の交流発光ダイオード灯具の回路の説明図である。
【発明を実施するための形態】
【００１５】
本発明の実施の形態について、以下、図面を参照して説明する。
【実施例１】
【００１６】
図１Ａは本発明の実施例１の交流発光ダイオード灯具の回路の説明図である。図１Ａを参照すると、本発明の交流発光ダイオード灯具には二個の交流電源接続端ＡＣ１、ＡＣ２、一個の発光モジュール１および一個の直流出力電源回路２が含まれる。交流電源接続端ＡＣ１、ＡＣ２は一個の交流電源が接続するのに用いられる。発光モジュール１には二個の接続端Ｖ１、Ｖ２が含まれ、発光モジュール１の内の一個の接続端Ｖ１は交流電源接続端の内の一個の交流電源接続端ＡＣ１に接続する。そして直流出力電源回路２にも二個の接続端Ｖ３、Ｖ４が含まれ、直流出力電源回路２の内の一個の接続端Ｖ４はもう一個の交流電源接続端ＡＣ２に接続し、さらに発光モジュール１のもう一個の接続端Ｖ２は直流出力電源回路２のもう一個の接続端Ｖ３に電気的に接続する。直流出力電源回路２には一個の直流電源出力端２０が含まれ、直流電源出力端２０は一個の放熱装置８に接続するのに用いられる。その内に放熱装置８は通常として一個の放熱ファンまたは一個の冷却チップなどの直流装置からなる。発光モジュール１と直流出力電源回路２は交流電源を受け入れることができ、交流電源によって発光モジュール１が作動するように駆動することができ、そして光を投射することができる。また、直流出力電源回路２の直流電源出力端２０に一個の直流電源を生じさせることにより、放熱装置８の電源として供給することができる。
【００１７】
さらに詳しく言えば、再び図１Ａを参照すると、本発明の実施例１の発光モジュール１には一個の第一発光ダイオードユニット１１と一個の第二発光ダイオードユニット１２が含まれ、それぞれの発光ダイオードユニット１１、１２は全て少なくとも一個の発光ダイオードからなり、そして第一発光ダイオードユニット１１と第二発光ダイオードユニット１２は相互に逆方向に並列するように形成され、さらに並列接続される第一発光ダイオードユニット１１と第二発光ダイオードユニット１２の両端はそれぞれ発光モジュール１の二個の接続端Ｖ１、Ｖ２に接続する。
【００１８】
直流出力電源回路２には一個の整流ユニット２１と一個の定電圧ろ波ユニット２２が含まれ、整流ユニット２１、定電圧ろ波ユニット２２および発光モジュール１は互いに直列に接続するように形成され、そして交流電源と接続してからは一個の直列した回路が形成される。
【００１９】
さらに、図１Ａを参照すると、本発明の実施例１の整流ユニット２１は一個の半波整流回路からなり、整流ユニット２１には一個のダイオードが含まれ、整流ユニット２１のダイオードの陽極端は接続端Ｖ３に接続し、そして整流ユニット２１のダイオードの接続方向と発光モジュール１の内の一個の発光ダイオードユニット１１または１２内の発光ダイオードの接続方向が一致になるように形成されることにより、交流電源の正の半周期電源は第一発光ダイオードユニット１１を通過したり、または交流電源の負の半周期電源は第二発光ダイオードユニット１２を通過したりするように提供することができる。
【００２０】
定電圧ろ波ユニット２２には一個の定電圧素子２２１と一個のろ波キャパシタンス２２２が含まれ、定電圧素子２２１とろ波キャパシタンス２２２が互いに並列になるように形成された後、再び整流ユニット２１と直列に接続し、すなわち並列に接続される定電圧素子２２１とろ波キャパシタンス２２２の一端は整流ユニット２１のダイオードの陰極端に接続する。そして並列に接続される定電圧素子２２１とろ波キャパシタンス２２２の一端は接続端Ｖ４に接続する。その内に定電圧素子２２１とろ波キャパシタンス２２２が並列する接続の場所はすなわち直流電源出力端２０である。定電圧素子２２１によって直流電源出力端２０から生じる直流を予定の電圧に限定することができ、そして定電圧素子２２１は選択的にツェナーダイオード（Zener Diode）からなる。しかし、定電圧素子２２１を選択する中でツェナーダイオードを使用しなければならないとは限らず、上述したように直流電源に対して電圧を限定する作用を有する素子であれば、全て本発明の保護の範囲内に属する。その他に、ろ波キャパシタンス２２２も直流電源出力端２０に並列されるため、直流電源に対してろ波を行うことができる。
【００２１】
図１Ｂは本発明の実施例１のもう一種の交流発光ダイオード灯具の回路接続の説明図である。図１Ｂを参照すると、本発明のもう一個の発光モジュール１’には一個の整流ユニット１１’と一個の発光ダイオードユニット１２’が含まれる。整流ユニット１１’は一個の全波整流器からなり、整流ユニット１１’には二個の正の周期導通ダイオード１１１’と二個の負の周期導通ダイオード１１２’が含まれ、その内の一個の正の周期導通ダイオード１１１’の陽極端とその内の一個の負の周期導通ダイオード１１２’の陰極端は共同で発光モジュール１’の一個の接続端Ｖ１’に接続し、その他にもう一個の正の周期導通ダイオード１１１’の陽極端ともう一個の負の周期導通ダイオード１１２’の陰極端は共同で発光モジュール１’のもう一個の接続端Ｖ２’に接続する。発光ダイオードユニット１２’は少なくとも一個の発光ダイオードからなり、整流ユニット１１’と発光ダイオードユニット１２’は電気的に接続することにより、共同で一個の全波整流回路の構造が形成される。
【００２２】
再び図１Ｂを参照すると、本発明の実施例１の直流出力電源回路２はその接続端Ｖ３によって発光モジュール１’の接続端Ｖ２’に接続し、そして同様に上述した本発明の実施例１の交流発光ダイオード灯具の操作を行うことができる。
【実施例２】
【００２３】
図２は本発明の実施例２の交流発光ダイオード灯具の回路の説明図である。図２を参照すると、実施例１と比較して本発明の実施例２には他に一個のバックワードダイオード２３が設けられる。バックワードダイオード２３は直列される整流ユニット２１および定電圧ろ波ユニット２２と並列に接続するように形成され、そしてバックワードダイオード２３の接続方向と整流ユニット２１のダイオードとは逆方向になるように接続されるが、バックワードダイオード２３の接続方向と第二発光ダイオードユニット１２の内の発光ダイオードの接続方向とは一致になるように接続される。
【００２４】
再び図２を参照すると、交流電源が本発明の実施例２の交流発光ダイオード灯具まで供給された時、交流電源の負の半周期電源はバックワードダイオード２３の導引によって第二発光ダイオードユニット１２を流通することができるため、第二発光ダイオードユニット１２が作動するのを駆動し、さらに光を投射することができる。
【実施例３】
【００２５】
図３は本発明の実施例３の交流発光ダイオード灯具の回路の説明図である。図３を参照すると、実施例１、２と比較して本発明の実施例３の直流出力電源回路３には一個の整流ユニット３１と一個の定電圧ろ波ユニット３２が含まれる。整流ユニット３１は一個の全波整流回路からなり、全波整流回路、定電圧ろ波ユニット３２と発光モジュール１は互いに直列に接続するように構成される。また、定電圧ろ波ユニット３２の接続と操作の方式は実施例１または実施例２の定電圧ろ波ユニット２２の接続と操作の方式とは同じであるため、ここではその説明を省く。
【００２６】
実施例３と実施例１および実施例２との異なるところは、全波整流回路によって交流電源の正の半周期電源と負の半周期電源に対して全波整流を行うことができ、さらに整流された後の波形を定電圧ろ波ユニット３２を経て通じてさざ波のろ過除去を行うことにより、定電圧ろ波ユニット３２の一個の直流電源出力端３０において安定した直流電源を生じさせることができる。
【００２７】
また、本発明の実施例３においては全波整流回路を利用して交流電源の全波整流を行うため、定電圧ろ波ユニット３２の一個のろ波キャパシタンス３２２は選択的に小容量のキャパシタンスからなることができる。
【実施例４】
【００２８】
図４は本発明の実施例４の交流発光ダイオード灯具の回路の説明図である。図４を参照すると、本発明の実施例４の直流出力電源回路４には一個の整流ユニット４１が含まれ、整流ユニット４１には一個のフォワード整流ダイオードユニット４１１が含まれ、整流ユニット４１は発光モジュール１に直列に接続し、フォワード整流ダイオードユニット４１１には複数個の直列されるダイオードが含まれ、そしてフォワード整流ダイオードユニット４１１の二個の接続端はそれぞれ二個の接続端Ｖ３、Ｖ４に接続する。また、直流出力電源回路４には一個の直流電源出力端４０が含まれ、直流電源出力端４０はフォワード整流ダイオードユニット４１１の少なくとも一個のダイオードまで並列され、そしてそれぞれのダイオードには一個の定格電圧（例えば３Ｖ）が含まれるため、本発明の実施例４においてはフォワード整流ダイオードユニット４１１まで並列されるダイオードの数を調整することにより、直流電源出力端４０から出力される直流電源の電圧値をさらに進んで調整することができる。
【００２９】
本発明の実施例４の直流出力電源回路４には他に一個の並列ろ波キャパシタンス４２が含まれ、並列ろ波キャパシタンス４２は直流電源出力端４０に並列に接続するように形成される。そのため、直流出力電源回路４から生じる直流電源は並列ろ波キャパシタンス４２によってさざ波のろ過除去を行うことができ、さらに放熱装置８に安定した電源を提供することができる。
【００３０】
その他に、本発明の実施例４の整流ユニット４１には他に一個のバックワード整流ダイオードユニット４１２が含まれ、二個の整流ダイオードユニット４１１、４１２は逆方向に並列するように形成され、バックワード整流ダイオードユニット４１２にも複数個の直列されるダイオードが含まれる。そのため、バックワード整流ダイオードユニット４１２の設置によって交流電源の負の半周期電源が通過するのを提供することができるため、第二発光ダイオードユニット１２が作動して発光するのを駆動することができる。
【００３１】
また、バックワード整流ダイオードユニット４１２のダイオードの設置の数とフォワード整流ダイオードユニット４１１のダイオードの設置の数は好ましくは同じであり、それによって交流電源の正の半周期電源と負の半周期電源がそれぞれ発光モジュール１を通過する電流が異なるようになるのを避けることができ、さらに発光モジュール１の明るさの均一性に影響を及ぼすのを避けることができる。
【実施例５】
【００３２】
図５は本発明の実施例５の交流発光ダイオード灯具の回路の説明図である。図５を参照すると、実施例１から実施例４と比較して本発明の実施例５の交流発光ダイオード灯具のそれぞれの発光ダイオードユニット１１、１２は全て複数個の発光ダイオードからなり、そして二個の交流電源接続端ＡＣ１、ＡＣ２はそれぞれ発光モジュール１の二個の接続端Ｖ１、Ｖ２に接続することにより、交流電源を発光モジュール１に直接供給することができる。
【００３３】
また、実施例４と比較して本発明の実施例５の直流出力電源回路５には一個の並列ろ波キャパシタンス５１しか含まれず、そして並列ろ波キャパシタンス５１は発光モジュール１の内の一組の発光ダイオードユニット１１または１２の内の少なくとも一個の発光ダイオードに並列に接続するように形成される。
【００３４】
一般的に言えば、発光モジュール１の内のそれぞれの発光ダイオードにも全て一個の定格電圧が含まれるため、並列ろ波キャパシタンス５１が適当な数の発光ダイオードに並列に接続することにより、並列ろ波キャパシタンス５１の直流電源出力端５０から出力される直流電源の電圧値をさらに進んで調整することができる。
【００３５】
例を挙げてみると、図５に示すように、本発明の直流出力電源回路５の並列ろ波キャパシタンス５１は第一発光ダイオードユニット１１の二個の直列の発光ダイオードに並列されるため、直流電源出力端５０から一個の６Ｖの直流電源を生じさせることができる。同様に、並列ろ波キャパシタンス５１を第二発光ダイオードユニット１２の二個の直列の発光ダイオードに並列することもできるため、直流電源出力端５０から一個の−６Ｖの直流電源を生じさせることができる。
【００３６】
実施例４と比較し、本発明の実施例５の並列ろ波キャパシタンス５１は発光モジュール１の少なくとも一個の発光ダイオードに直接並列するように構成されることにより、二個の整流ダイオードユニット４１１、４１２を余分に設置することがないため、回路の接続の複雑さを簡単化にすることができる。
【産業上の利用可能性】
【００３７】
上述の如く、本発明の交流発光ダイオード灯具によれば、直流出力電源回路の直流電源出力端の設置によって直流電源を放熱装置８に必要とする電源として供給することができるため、従来の交流発光ダイオード灯具の技術と比較して本発明においては変圧器７１を設置する必要がなく、回路の設置のコストを低く抑えることができ、さらに回路の設置の体積と重量を減らすことができる。
【００３８】
その他に、本発明の実施例２から実施例５に掲示される直流出力電源回路２、３、４または５も同様に簡単な回路の置き換えを経て図１Ｂに掲示されるもう一個の発光モジュール１’と互いに接続することにより、本発明の交流発光ダイオード灯具の回路の操作を行うことができる。
【００３９】
本発明は、その精神とび必須の特徴事項から逸脱することなく他のやり方で実施することができる。従って、本明細書に記載した好ましい実施例は例示的なものであり、限定を意図するものではない。
【符号の説明】
【００４０】
１    発光モジュール
１１    第一発光ダイオードユニット
１２    第二発光ダイオードユニット
１’    発光モジュール
１１’    整流ユニット
１１１’    正の周期導通ダイオード
１１２’    負の周期導通ダイオード
１２’    発光ダイオードユニット
２    直流出力電源回路
２０    直流電源出力端
２１    整流ユニット
２２    定電圧ろ波ユニット
２２１    定電圧素子
２２２    ろ波キャパシタンス
２３    バックワードダイオード
３    直流出力電源回路
３０    直流電源出力端
３１    整流ユニット
３２    定電圧ろ波ユニット
３２１    定電圧素子
３２２    ろ波キャパシタンス
４    直流出力電源回路
４０    直流電源出力端
４１    整流ユニット
４１１    フォワード整流ダイオードユニット
４１２    バックワード整流ダイオードユニット
４２    並列ろ波キャパシタンス
５    直流出力電源回路
５０    直流電源出力端
５１    並列ろ波キャパシタンス
７    電源変換器
７１    変圧器
７２    整流ろ波回路
８    放熱装置
９    発光モジュール
９１    第一発光ダイオードユニット
９２    第二発光ダイオードユニット
ＡＣ１    交流電源接続端
ＡＣ２    交流電源接続端
Ｖ１    接続端
Ｖ２    接続端
Ｖ１’    接続端
Ｖ２’    接続端
Ｖ３    接続端
Ｖ４    接続端
Ｐ１    交流電源接続端
Ｐ２    交流電源接続端
【図１Ａ】
2011151010.tif 000003
【図１Ｂ】
2011151010.tif 000004
【図２】
2011151010.tif 000005
【図３】
2011151010.tif 000006
【図４】
2011151010.tif 000007
【図５】
2011151010.tif 000008
【図６】
2011151010.tif 000009